【手続補正書】
【提出日】平成16年10月21日(2004.10.21)
【手続補正１】
【補正対象書類名】明細書
【補正対象項目名】全文
【補正方法】変更
【補正の内容】
【書類名】明細書
【発明の名称】疑似接着用紙の製造方法および製造装置
【特許請求の範囲】
【請求項１】基紙の少なくとも一方の面に、通常の状態では接着せず加圧によって剥離可能に疑似接着する疑似接着剤層を有する疑似接着用紙の製造方法であって、
前記基紙の表裏面の少なくとも一方の面に疑似接着剤を塗工する工程、
前記疑似接着剤の塗工面に混入した異物および塗工欠陥を反射型欠陥検出手段によって検出する工程、
検出された異物および塗工欠陥の位置が特定できるように、基紙または塗工面に視認可能な目印を付与する工程、
前記目印に基づいて混入異物および塗工欠陥部位の除去を行う工程、
を有することを特徴とする疑似接着用紙の製造方法。
【請求項２】前記疑似接着剤の固形分濃度を２０〜５０％、粘度を４０〜８００ｃＰｓ、ｐＨを８以上に調整し、
当該疑似接着材を、アプリケーション系をファウンテン方式かつ計量系をブレード方式またはロッド方式とした塗工方法により、塗工する請求項１記載の疑似接着用紙の製造方法。
【請求項３】前記アプリケーション系における疑似接着剤の吐出口幅を調整し、前記疑似接着剤の塗工幅を紙幅と同じかあるいは紙幅よりも狭くして、疑似接着材を塗工する請求項２記載の疑似接着用紙の製造方法。
【請求項４】基紙の少なくとも一方の面に、通常の状態では接着せず加圧によって剥離可能に疑似接着する疑似接着剤層を有する疑似接着用紙の製造装置であって、
前記基紙の表裏面の少なくとも一方の面に疑似接着剤を塗工する塗工手段と、
前記疑似接着剤の塗工面に混入した異物および塗工欠陥を検出する反射型欠陥検出手段と、
検出された異物および塗工欠陥の位置が特定できるように、基紙または塗工面に視認可能な目印を付与する目印付与手段と、
前記目印に基づいて混入異物および塗工欠陥部位の除去を行う除去手段と、
を備えることを特徴とする疑似接着用紙の製造装置。
【請求項５】前記塗工手段のアプリケーション系がファウンテン方式で計量系がブレード方式またはロッド方式である請求項４記載の疑似接着用紙の製造装置。
【請求項６】前記アプリケーション系における疑似接着剤の吐出口の幅が、疑似接着剤の紙幅と同じかあるいは幅狭に形成されている請求項５記載の疑似接着用紙の製造装置。
【発明の詳細な説明】
【０００１】
【発明の属する技術分野】
本発明は、一時的に接着するが、必要時に容易に剥離できる機能を有する疑似接着用紙の製造方法に関するものである。さらに詳しく述べれば、基紙の少なくとも一方の面に、通常状態では接着せず所定の条件（例えば圧力を加えることにより）が付与されることにより接着性を示し、かつ接着後に再剥離が可能な疑似接着剤層が設けられている、折り畳み疑似接着用シート、重ね合わせ疑似接着用シート、その他親展性を有する情報隠蔽シート、親展性葉書、親展性封筒等に好適な疑似接着用紙の製造方法および製造装置に関する。
【０００２】
【従来の技術】
個人情報などの各種情報を隠蔽したのち、郵送し、受取人が疑似接着部分を剥離して隠蔽情報を読み取る葉書システムが普及している。葉書システムは、会社が従業員にあるいは銀行やクレジット会社が顧客に親展性を有する情報を連絡する場合に使用されることが多く、親展性情報の漏洩防止性、情報連絡の利便性、開封の容易性（剥離性）が重要である。
【０００３】
このような葉書システムには、上質紙等の基紙に天然ゴムラテックス等の接着基剤に充填剤等を含有せしめた疑似接着剤を塗工して一時的には接着するが必要時に容易に剥離する疑似接着剤層を設けた疑似接着用紙が使用される。
【０００４】
疑似接着用紙では、上述のように剥離性が重要となるため、剥離時の破損事故を生じさせるような、疑似接着剤層への異物混入あるいは塗工欠陥が少ないことが要求される。従って、疑似接着剤を塗工するにあたっては、塗工速度は高速ではあるが塗工欠陥の発生や塗工液粕の塗工面へ混入のおそれが高いブレード方式やロッド方式の塗工機は用いられず、一般にはそのようなおそれの少ないエアナイフ方式の塗工機が用いられる。また、通常は、欠陥検出器としては汚れや虫等の黒点異物を検出するための透過型欠陥検出器やストリーク検出器が使用されている。
【特許文献１】
特開平０８−２７８２６２
【特許文献２】
特開平１１−０３５２０４
【０００５】
【発明が解決しようとする課題】
しかしながら、エアナイフ方式の塗工機では、エアーのかみ込みに起因するコーターヘッド循環ライン中の疑似接着剤の物性変化が、大きいという欠点を有する。さらに、エアナイフ方式の塗工機は、塗工速度が非常に遅く、生産性、作業性の観点からは上述のブレード方式やロッド方式の塗工機に劣っている。
【０００６】
そこで、本発明の主たる課題は、疑似接着用紙の製造方法において、塗工面に付着した糊粕などの白色異物等を効果的に検出・除去することを可能とするとともに、ブレード方式、ロッド方式といったエアナイフ方式よりも高速塗工が可能な塗工方式により塗工を可能とし、疑似接着用紙の生産性および作業性を向上させることにある。
【０００７】
【課題を解決するための手段】
上記課題を解決した本発明およびその作用効果は次記のとおりである。
＜請求項１記載の発明＞
基紙の少なくとも一方の面に、通常の状態では接着せず加圧によって剥離可能に疑似接着する疑似接着剤層を有する疑似接着用紙の製造方法であって、
前記基紙の表裏面の少なくとも一方の面に疑似接着剤を塗工する工程、
前記疑似接着剤の塗工面に混入した異物および塗工欠陥を反射型欠陥検出手段によって検出する工程、
検出された異物および塗工欠陥の位置が特定できるように、基紙または塗工面に視認可能な目印を付与する工程、
前記目印に基づいて混入異物および塗工欠陥部位の除去を行う工程、
を有することを特徴とする疑似接着用紙の製造方法。
【０００８】
（作用効果）
従来の透過型欠陥検出機や目視では発見困難な微細な糊粕、疑似接着剤や基紙と同色の異物を反射型欠陥検出装置によって検出できる。また、糊粕、異物の位置や塗工欠陥の位置に目印を付与して、それらの位置が迅速に判るようにし、しかもそれら糊粕等を除去するので、糊粕等の混入が確実にない疑似接着用紙を製造できる。また、塗工欠陥や糊粕等の混入があっても、それらを発見除去できることから、従来のエアナイフ方式よりも高速塗工が可能なロッド方式やブレード方式の塗工機による迅速な製造も可能となる。
【０００９】
＜請求項２記載の発明＞
前記疑似接着剤の固形分濃度を２０〜５０％、粘度を４０〜８００ｃＰｓ、ｐＨを８以上に調整し、
当該疑似接着材を、アプリケーション系をファウンテン方式かつ計量系をブレード方式またはロッド方式とした塗工方法により、塗工する請求項１記載の疑似接着用紙の製造方法。
【００１０】
（作用効果）
前記疑似接着剤の固形分濃度を２０〜５０％、粘度を４０〜８００ｃＰｓ、ｐＨを８以上に調整することにより、前記疑似接着剤がブレード方式およびロッド方式の塗工に適したものとなる。そして、当該疑似接着剤をブレード方式またはロッド方式の塗工方法により塗工するので、高速に疑似接着用紙を製造することが可能となる。
【００１１】
＜請求項３記載の発明＞
前記アプリケーション系における疑似接着剤の吐出口幅を調整し、前記疑似接着剤の塗工幅を紙幅と同じかあるいは紙幅よりも狭くして、疑似接着材を塗工する請求項２記載の疑似接着用紙の製造方法。
【００１２】
（作用効果）
このようにすると、ブレードコーターやロッドコーターで使用するゴム製のバッキングロールの破損、磨耗が少なくなる。特に、塗工幅を狭くした場合には、基紙の側縁部に疑似接着剤の未塗工部分が形成され特に磨耗が少なくなる。
【００１３】
＜請求項４記載の発明＞
基紙の少なくとも一方の面に、通常の状態では接着せず加圧によって剥離可能に疑似接着する疑似接着剤層を有する疑似接着用紙の製造装置であって、
前記基紙の表裏面の少なくとも一方の面に疑似接着剤を塗工する塗工手段と、
前記疑似接着剤の塗工面に混入した異物および塗工欠陥を検出する反射型欠陥検出手段と、
検出された異物および塗工欠陥の位置が特定できるように、基紙または塗工面に視認可能な目印を付与する目印付与手段と、
前記目印に基づいて混入異物および塗工欠陥部位の除去を行う除去手段と、
を備えることを特徴とする疑似接着用紙の製造装置。
【００１４】
（作用効果）
請求項１記載の発明と同様の作用効果を奏する。
【００１５】
＜請求項５記載の発明＞
前記塗工手段のアプリケーション系がファウンテン方式で計量系がブレード方式またはロッド方式である請求項４記載の疑似接着用紙の製造装置。
【００１６】
（作用効果）
請求項２記載の発明と同様の作用効果を奏する。
【００１７】
＜請求項６記載の発明＞
前記アプリケーション系における疑似接着剤の吐出口の幅が、疑似接着剤の紙幅と同じかあるいは幅狭に形成されている請求項５記載の疑似接着用紙の製造装置。
【００１８】
（作用効果）
請求項３記載の発明と同様の作用効果を奏する。
【００１９】
【発明の実施の形態】
次いで、本発明の実施の形態を以下に詳述する。
本発明は、前記基紙の表裏面の少なくとも一方の面に疑似接着剤を塗工する工程、前記疑似接着剤の塗工面に混入した糊粕等の異物および塗工欠陥を反射型欠陥検出手段によって検出する工程、検出された異物および塗工欠陥の位置が特定できるように、基紙または塗工面に視認可能な目印を付与する工程、前記目印に基づいて混入異物および塗工欠陥部位の除去を行う工程、を有することを特徴とする。
【００２０】
前記基紙は、特に限定されず、例えばセルロース繊維を主体とする上質紙や、各種合成紙等を挙げることができる。
【００２１】
前記疑似接着剤としては、例えば、非剥離性接着剤（以下、接着基剤という）に、これに非親和性を示す充填剤を含有せしめて疑似接着力を付与した従来既知の疑似接着剤を用いることができる。
【００２２】
前記接着基剤としては、ラテックス、具体的には天然ゴム、合成ゴム等の従来通常の接着基剤に使用されているものの中から任意に選択して使用することができるが、特に天然ゴムを無硫黄加硫し、メタアクリル酸メチルと混合した天然ゴムラテックス、天然ゴムにメタアクリル酸メチルをグラフト共重合させて得られた天然ゴムラテックス、アクリル変性ゴムラテックス、ゴムラテックスと保護コロイド系アクリル共重合エマルジョンとの混合物が、耐ブロッキング性、耐経時劣化等の点で好適である。
【００２３】
また、接着基剤に添加する充填剤としては、例えば、クレー、一次または二次凝集体を形成しているカルサイト系沈降性炭酸カルシウム、二次凝集体を形成しているアラゴナイト系沈降性炭酸カルシウム、炭酸カルシウム、スチレンビーズ、シリカ、合成微粒子シリカ、アミノ表面改質シリカ、ワックス表面処理シリカ、球状シリカ、通常のカルシウムや、亜鉛、マグネシウム、アルミニウムもしくはチタン等の金属の酸化物、水酸化物、炭酸塩、珪酸塩、またはこれらの混合物等が挙げられる。
【００２４】
疑似接着剤を塗工する塗工機は、従来と同様にエアナイフ方式の塗工機を用いてもよいが、好適には、従来のエアナイフ方式よりも高速塗工が可能な塗工機により塗工するのが望ましい。この高速塗工が可能な塗工機の具体例としては、アプリケーション系（塗布部あるいは塗布系とも言われる）にファウンテンロールを用いるファウンテン方式を採用し、計量系（メタリングともいう）にブレード方式またはロッド方式を採用するブレードコーター、ロッドコーターが挙げられる。かかる塗工機より塗工するのであれば、前記疑似接着剤は、前記疑似接着剤の固形分濃度を２０〜５０％、粘度を４０〜８００ｃＰｓ、ｐＨを８以上に調整するのが好適である。前記固形分濃度の調整については、接着基剤と充填剤の配合量により調整することができる。粘度の調整については、疑似接着剤の製造に用いられる従来既知の粘度調整剤により調整することができる。ｐＨについては、疑似接着剤の製造に用いられる従来既知のｐＨ調整剤により調整することができる。
【００２５】
また、前記塗工機を用いるのであれば、好適には、前記アプリケーション系の疑似接着剤の吐出口の幅を、塗工する基紙の紙幅と同じかあるいは、幅狭にする。吐出口の幅の調整については、前記吐出口の両側縁を所定幅塞ぐことにより達成できる。また、初めから、吐出幅が所望の幅に調整された吐出口部を有するアプリケーション系を有する塗工機を用いてもよい。
【００２６】
本発明においては、前記疑似接着剤を基紙に塗工した後に、当該塗工面に混入した異物、特に目視では発見困難な微細な糊粕、疑似接着剤や基紙と同色の異物の塗工欠陥を反射型欠陥検出装置によって検出する。検出は、紙の表面側と裏面側との双方の検出をするようにするのが望ましい。
【００２７】
ここで、反射型欠陥検出装置は、光源とその反射光を受光して電気信号に変換する受光部と、その電気信号を解析するデータ処理部とを備える。すなわち、被検査物に光を当てその反射光をＣＣＤカメラ等で受光して電気信号に変換し、その信号に基づいてあるいはその信号を解析、データ処理して欠陥等の検出をおこなう。通常は、反射光の強弱を電気信号の強弱に変化して欠陥等を検出する。また、反射型欠陥検出装置は、通常、ＣＣＤカメラからの電気信号をデジタル処理して、欠陥等が即時にわかる画像にしてモニタに映し出したり、その画像をプリントアウトしたりする機能をも備える。これら機能は別体のコンピュータを介して行うこともある。本発明においてもこの種の機能を備えた反射型欠陥検出装置を用いることができ、好適にはこの種の機能を利用して欠陥個所あるいは異物混入個所の画像をプリントアウトする。このようにしておくと、プリントアウトされた画像に基づき、反射型欠陥検出装置により検出された欠陥部分と実際の疑似接着用紙の欠陥部分との比較ができるようになる。特に好適な装置としては、オムロン社製の形式ＫＰ０５ＹＹ２−Ｉの反射型欠陥検出装置が挙げられる。
【００２８】
反射型欠陥検出装置の設置は、塗工工程の後段であって巻取り工程の前段であればいずれの位置に設けてもよいが、好適には、カレンダー後、ワインダー前に設置して、塗工装置から流れてくる疑似接着剤が塗工された疑似接着用紙原紙の塗工面を検査するようにする。
【００２９】
反射型欠陥検出装置の設置方法および取り扱い方法については、反射型欠陥検出装置の通常の設置方法および取り扱い方法を採用することができる。本発明においては、紙幅全体の欠陥検出が行えるように紙の流れに対して検出部（光源およびＣＣＤカメラ）を架橋するように設けるのが望ましい。また、図１に示されるように、塗工後の原紙１が搬送用ロール等のロールＲに接する部位で検出を行うようにするのが望ましい。なお、図１中（Ａ）は紙表面を検出する例であり、（Ｂ）は裏面を検出する例である。また、図１中の符号２１は光源、２２はスリット、２３はＣＣＤカメラをそれぞれ示す。このようにロールに接する部位で検出すると、紙のダブリによる検出ミスが防止される。
【００３０】
このようにして前記反射型欠陥検出手段により、塗工欠陥や混入異物が検出された場合には、その位置が目視で直接的にまたは間接的に確認できるように目印を付与する。視認可能な目印はどのようなものでもよく、例えば、インクで着色したりする。
【００３１】
目印を付与する位置としては、欠陥個所、異物混入個所に直接、あるいは、それらの欠陥個所等に対応する基紙の側縁部（例えば、欠陥個所等から、紙の流れ方向に対して垂直方向に向かって、延長線上に位置する紙の側縁部）とすることができる。具体例としては、基紙の幅よりも塗工幅を狭くしてある場合には、基紙の縁部に形成される疑似接着剤の未塗工部分にインクで着色して目印を付与できる。また、疑似接着剤層が先糊方式のものであり、しかも、目印付与時に乾燥されている場合には、欠陥個所等に直接的にインクで着色して目印を付与できる。特に好適な例は、紙の側縁部分（エッジともいう）にインクで着色することである。
【００３２】
目印の付与は、紙の走行を止めずに行うのが望ましく、好適には、前記欠陥検出装置と連動するマーキング装置（マーカーともいう）等により行う。上記の連動は、前記欠陥検出装置とマーキング装置とを連動させる機能を有するコンピュータ等により行うこともできる。具体例としては、図２に示されるように、反射型欠陥検出装置２（より具体的には反射型欠陥検出装置のデータ処理部２４）とマーキング装置３０とを接続し、前記反射型欠陥検出装置２からの命令によって前記マーキング装置３０を作動させ、マーキング装置３０が欠陥部分あるいは、図中に点線で示されるように欠陥個所Ｄに対応する基紙の側縁部分（エッジ）にインクで着色して目印Ｍを付与する。図示例では、紙の側縁部分に未塗工部分を設けてかかる未塗工部分１２に目印を付与している。なお、本発明においてはプリンタを使用せずに、欠陥検出装置の表示する解析画像に基づいて、手動でインクを付与してもよい。
【００３３】
かかる目印の付与がなされた疑似接着用紙は、巻取り工程の直前、巻取り工程で巻き取られてロール状となっている疑似接着用紙原紙をスリッターワンダー等により加工する際に、前記目印に基づいて異物混入個所を確認してその部位を除去する。なお、本発明は、各工程が連続している必要はなく、目印を付与した後に他の工程を経て巻取り工程に移行することもできる。
【００３４】
＜実施例＞
本発明にかかる疑似接着用紙の製造例（実施例１〜６）と本発明とは異なる疑似接着用紙の製造例（比較例１）と従来の疑似接着剤の製造例（従来例）とについて、循環による物性変化、塗工欠陥の発生具合、糊粕の発生具合、印刷適正とについて比較検討した。実施例および比較例にかかる疑似接着用紙は、米坪１００ｇ／ｍ2の上質紙の一方の面の全面に疑似接着剤を塗工量８ｇ／ｍ2で塗工した後、温度２３℃、湿度５０％の状況下で３０分間調整して疑似接着剤層を設けて作成した。なお、各実施例および各比較例の詳細については次記のとおりである。
【００３５】
（実施例１）天然ゴムラテックス３０重量部に対して、シリカ２５重量部と生澱粉２５重量部とからなる分散液と、合成ラテックス５重量部と、水溶性バインダー４重量部と、を含有せしめ、さらにｐＨ調製剤および粘度調整剤を添加して、ｐＨ９.５、粘度８００ｃＰｓ、固形分濃度３５％の疑似接着剤とし、この疑似接着剤をブレードコーターにて、塗工速度３００ｍ／分で基紙に塗工した。
【００３６】
（実施例２）天然ゴムラテックス３０重量部に対して、シリカ２５重量部と生澱粉２５重量部とからなる分散液と、合成ラテックス５重量部と、水溶性バインダー４重量部と、を含有せしめ、さらにｐＨ調製剤および粘度調整剤を添加して、ｐＨ９.５、粘度５００ｃＰｓ、固形分濃度５０％の疑似接着剤とし、この疑似接着剤をブレードコーターにて、塗工速度３００ｍ／分で基紙に塗工した。
【００３７】
（実施例３）天然ゴムラテックス３０重量部に対して、シリカ２５重量部と生澱粉２５重量部とからなる分散液と、合成ラテックス５重量部と、水溶性バインダー４重量部と、を含有せしめ、さらにｐＨ調製剤および粘度調整剤を添加して、ｐＨ９.５、粘度５００ｃＰｓ、固形分濃度３５％の疑似接着剤とし、この疑似接着剤をブレードコーターにて、塗工速度３００ｍ／分で基紙に塗工した。
【００３８】
（実施例４）天然ゴムラテックス３０重量部に対して、シリカ２５重量部と生澱粉２５重量部とからなる分散液と、合成ラテックス５重量部と、水溶性バインダー４重量部と、を含有せしめ、さらにｐＨ調製剤および粘度調整剤を添加して、ｐＨ９．５、粘度５００ｃＰｓ、固形分濃度３５％の疑似接着剤とし、この疑似接着剤をロッドコーターにて、塗工速度３００ｍ／分で基紙に塗工した。
【００３９】
（実施例５）天然ゴムラテックス３０重量部に対して、シリカ２５重量部と生澱粉２５重量部とからなる分散液と、合成ラテックス５重量部と、水溶性バインダー４重量部と、を含有せしめ、さらにｐＨ調製剤および粘度調整剤を添加して、ｐＨ８．２、粘度５００ｃＰｓ、固形分濃度３５％の疑似接着剤とし、この疑似接着剤をブレードコーターにて、塗工速度３００ｍ／分で基紙に塗工した。
【００４０】
（実施例６）天然ゴムラテックス３０重量部に対して、シリカ２５重量部と生澱粉２５重量部とからなる分散液と、合成ラテックス５重量部と、水溶性バインダー４重量部と、を含有せしめ、さらにｐＨ調製剤および粘度調整剤を添加して、ｐＨ９.５、粘度５０ｃＰｓ、固形分濃度３５％の疑似接着剤とし、この疑似接着剤をブレードコーターにて、塗工速度３００ｍ／分で基紙に塗工した。
【００４１】
（比較例１）天然ゴムラテックス３０重量部に対して、シリカ２５重量部と生澱粉２５重量部とからなる分散液と、合成ラテックス５重量部と、水溶性バインダー４重量部と、を含有せしめ、さらにｐＨ調製剤および粘度調整剤を添加して、ｐＨ７．５、粘度５００ｃＰｓ、固形分濃度３５％の疑似接着剤とし、この疑似接着剤をブレードコーターにて、塗工速度３００ｍ／分で基紙に塗工した。
【００４２】
（従来例）天然ゴムラテックス３０重量部に対して、シリカ２５重量部と生澱粉２５重量部とからなる分散液と、合成ラテックス５重量部と、水溶性バインダー４重量部と、を含有せしめ、さらにｐＨ調製剤および粘度調整剤を添加して、ｐＨ９.５、粘度１５０ｃＰｓ、固形分濃度１５％の疑似接着剤とし、この疑似接着剤をエアナイフコーターにて、塗工速度１４０ｍ／分で基紙に塗工した。
【００４３】
検討項目の詳細は次記のとおりであり、結果については表１に示す。
［循環による物性変化］疑似接着剤の比重および物性変化、劣化があるか否かを評価した。表中の記号については、○：劣化なし、△：やや劣化あり、×：劣化あり、をそれぞれ示す。
［塗工欠陥の発生具合］ストリーク、スクラッチ等の塗工欠陥が発生具合を目視にて確認した。表中の記号については、○：欠陥発生なし、△：やや欠陥あり、×：欠陥発生が多い、をそれぞれ示す。
［糊粕の発生具合］コーターヘッド周りおよびロールへの糊粕の付着具合を黙示にて確認した。表中の記号については、○：糊粕の付着なし、△：糊粕がやや付着した、×：糊粕が多量に付着した、をそれぞれ示す。
［印刷適正］ＲＩテスターにてインクの着肉性を確認した。表中の記号については、○：インクの着肉性が大変よい、△：インクの着肉性がよい、×：インクの着肉性がやや悪い、をそれぞれ示す。
【００４４】
【表１】
2004148534.tif 000001
【００４５】
表１から見てとれるように、本発明の実施例は、各評価が△〜○の評価であるのに対し、比較例については△〜×の評価である結果となった。
【００４６】
なお、塗工欠陥の発生具合および糊粕の発生具合の評価において、△および×の評価であっても、反射型欠陥検出器でそれら検出して除去することは可能である。ただし、×の評価となるほどに糊粕等が多いと、製品の歩留まりが、△および○と比較して悪化する。
【００４７】
【発明の効果】
以上詳述のとおり、本発明によれば、疑似接着用紙の製造方法において、塗工面に付着した糊粕などの白色異物等を効果的に検出・除去することが可能となり、ブレード方式、ロッド方式といったエアナイフ方式よりも高速塗工が可能な塗工方式による塗工が可能となり、疑似接着用紙の生産性および作業性が向上する。
【図面の簡単な説明】
【図１】
反射型欠陥検出装置の検出部の設置例を示す図である。
【図２】
目印付与手段一例を示す図である。
【符号の説明】
１…疑似接着剤塗工後の原紙、１１…塗工部分、１２…未塗工部分、２…反射型欠陥検出装置、２１…光源、２１ａ…反射光、２２…スリット，２３…ＣＣＤカメラ、２４…データ処理部、３０…プリンタ、Ｄ…欠陥部分、Ｍ…目印、Ｒ…搬送用ロール。